(57)【特許請求の範囲】
【請求項１】
カギが抜ける閉位置とカギが抜けない開位置とにカギによって回転操作されるキーシリンダと、
該キーシリンダの開位置への回転によって没入され、閉位置への回転によって突出されるロック機構と、
コイン挿入口に挿入された一定枚数のコインの一部をコイン返却のためのコイン返却口に、残りを集金のための内部に落下させるようにそれぞれ導くコインガイドと、
該コインガイドの途中に設けられ、前記キーシリンダが閉位置にあるとき、前記一部のコイン及び前記残部のコインの落下を阻止して前記コインガイド内に前記一定枚数のコインを保持する位置に保持され、前記キーシリンダが開位置にあるとき、前記落下の阻止を外して前記一部のコインを前記コイン返却口に、前記残部のコインを内部にそれぞれ落下させる位置に移動可能となるコインストッパーと、
前記コインガイド内に前記一定枚数のコインが保持されていないとき前記ロック機構と係合して前記キーシリンダの開位置から閉位置への回転操作を阻止する位置にあり、前記コインガイド内に前記一定枚数のコインが保持されているとき最後に挿入されたコインによって、前記キーシリンダの開位置から閉位置への回転操作を阻止する位置から、前記ロック機構との係合を外して前記キーシリンダの開位置から閉位置及び閉位置から開位置への回転操作を可能にする位置に移動されるロック止め金と、
前記キーシリンダが開位置にあるとき、押し操作によって伝達棒を介して前記コインストッパーを、前記落下の阻止を外して前記一部のコインを前記コイン返却口に、前記残部のコインを内部にそれぞれ落下させる位置に移動させるリセットボタンと
を有することを特徴とするキーシステム。
【発明の詳細な説明】
【０００１】
【発明の属する技術分野】
この発明は、コインロッカーなどに使われているキーシステムに関するものである。
【０００２】
【従来の技術】
従来のキーシステムは、一定のコインで一回しか使用ができず、何回も開け閉めをしたいときには、何回もコインを入れなくてはならなかった。また電子制御してあるタイプのものでは高価でデリケートであったため、設置場所が限られていた。
【０００３】
【発明が解決しようとする課題】
これらには次のような欠点があった。
（イ）何回でも使用するようなときには、何回もコインをいれなくてはならなかった。
（ロ）電子制御タイプのものは高価でデリケートなので、設置場所がある程度限られていた。
（ハ）カギをいたずらされやすかった。
本発明は、これらの欠点を除くためになされたものである。
【０００４】
【課題を解決するための手段】
本発明による請求項１記載の発明に係るロッカシステムは、カギが抜ける閉位置とカギが抜けない開位置とにカギによって回転操作されるキーシリンダと、
該キーシリンダの開位置への回転によって没入され、閉位置への回転によって突出されるロック機構と、
コイン挿入口に挿入された一定枚数のコインの一部をコイン返却のためのコイン返却口に、残りを集金のための内部に落下させるようにそれぞれ導くコインガイドと、
該コインガイドの途中に設けられ、前記キーシリンダが閉位置にあるとき、前記一部のコイン及び前記残部のコインの落下を阻止して前記コインガイド内に前記一定枚数のコインを保持する位置に保持され、前記キーシリンダが開位置にあるとき、前記落下の阻止を外して前記一部のコインを前記コイン返却口に、前記残部のコインを内部にそれぞれ落下させる位置に移動可能となるコインストッパーと、
前記コインガイド内に前記一定枚数のコインが保持されていないとき前記ロック機構と係合して前記キーシリンダの開位置から閉位置への回転操作を阻止する位置にあり、前記コインガイド内に前記一定枚数のコインが保持されているとき最後に挿入されたコインによって、前記キーシリンダの開位置から閉位置への回転操作を阻止する位置から、前記ロック機構との係合を外して前記キーシリンダの開位置から閉位置及び閉位置から開位置への回転操作を可能にする位置に移動されるロック止め金と、
前記キーシリンダが開位置にあるとき、押し操作によって伝達棒を介して前記コインストッパーを、前記落下の阻止を外して前記一部のコインを前記コイン返却口に、前記残部のコインを内部にそれぞれ落下させる位置に移動させるリセットボタンと
を有することを特徴とする。
このキーシステムによれば、一定枚数挿入したコインはキーシステム内に止まり、その間はカギが何度も使用できる。カギの使用をやめるときには、リセットボタンを押すとキーシステム内で止まっていたコインがおちて返却・集金が同時に行われる。
【０００５】
【発明の実施の形態】
以下、本発明の実施の形態について説明する。
（イ） キーシステムを正面から見た図１及び図２においては、キーシリンダ３は、カギ８が抜ける図２の閉位置とカギ８が抜けない図１の開位置とにカギ８によって回転操作される。カギ８が図１に示すように上下方向に垂直な状態となるキーシリンダ３の開位置にあるとき、ロック機構６（図２、図３参照）が突出していない状態にある。この状態においては、カギ８はキーシリンダ３から抜けないようになっており、コイン１４が挿入されていない状態では、後述するように、カギ８の回転操作が阻止されている。
図２においては、コイン挿入口１に一定枚数のコイン１４（図６、図７参照）が挿入され、後述するように、カギ８の回転操作が可能になっている。カギ８が図示のように反時計回転方向に回転した傾いた状態となるキーシリンダ３の閉位置にあってロック機構６が突出した図示の状態において、カギ８はキーシリンダ３から抜けるようになっている。
図１において、コイン挿入口１に一定枚数のコイン１４が挿入されると、コイン挿入口１に挿入されたコイン１４はコイン検知機４（図３、図４、図５参照）を通過する。詳細には、図９に示すように、コイン検知機４の第１パーツ１５、第２パーツ１６を上・下に押し広げ、第２パーツ１６が第３パーツ１７を押し上げて一定のコインを検知する。コイン検知機４を通過したコイン１４は、コインガイド９によって、その一部をコイン返却のためのコイン返却口４に、残りを集金のため内部に落下させるようにそれぞ導かれる。
コインガイド９内には、図４〜図７に示すように、ストップ板１１に設けられた２つのコインストッパー１２がその途中に配されている。２つのコインストッパー１２がコインガイド９内に入り込んでいるときには、具体的には、挿入された４枚のコイン１４のうちはじめに挿入される１枚目と２枚目のコインは前側のコインガイドに導かれコインストッパー１２によって落下が阻止され、その後に挿入される３枚目と４枚目のコインは前側のコインガイド内に入らなくなって後側のコインガイド内に導かれる。後側のコインガイド内に導かれたコインもコインストッパー１２によって落下が阻止される。すなわち、挿入された４枚のコインは、図６及び図７に示すように、前側及び後側のコインガイド内に２枚ずつ、合計４枚のコインがコインガイド内に並べられて保持される。後側のコインガイドに導かれたコインは、コインガイド内を移動するときロック止め金１０の一部に当たってロック止め金１０を移動させるが、コインストッパー１２により落下が阻止されてコインガイド内に一定枚数のコインが図６及び図７のように並べられて保持された状態では、最後に挿入された４枚目のコイン１４がロック止め金１０を移動させた状態に保つ。
【０００６】
（ロ） ロック止め金１０は、移動されない状態で図３に示すようにロック機構６と係合してロック機構６の動きを阻止し、ロック機構６が図示のように突出していない状態に保たれ、その結果、カギ８によってキーシリンダ３を矢印で示すように回転させようとしても回転されなくなる。これに対し、ロック止め金１０が移動されロック機構６との係合がはずれている間は、ロック機構６の動きが可能になり、ロック機構６が図２に示すような突出した状態に動くことができるようになる。この結果、カギ８によってキーシリンダ３を矢印で示すように閉位置に回転させることができ、カギ８がキーシリンダ３を閉位置に回転させている状態では、キーシリンダ３からカギ８が抜けるようになる。従って、カギ８を開閉位置に回転操作することが何回でもできるようになる。
【０００７】
（ハ） このキーシステムの使用をやめるときには、カギ８を図１に示す開位置にしてリセットボタン２をスプリング５に抗して押す。押されたリセットボタン２は伝動棒１３に動力を伝え、伝動棒１３はその動力を回転運動に変化させ、ストップ板１１を図５に示すような位置に動かす。ストップ板１１が図５の位置に動かされると、ストップ板１１に設けられているコインストパー１２がコインガイド９の外に移動する。コインストパー１２がコインガイド９の外に移動すると、図６及び図７に示すように、コインガイド９内に入り込んだコインストッパー１２によって落下が阻止されて保持されていたコイン１４が図７に示すようにコインガイド９に導かれて一部はコイン返却口４へ、もう一部は集金のため内部に落下される。コインガイド９内に保持されていたコイン１４が落下されると、最後に挿入されたコイン１４によって移動されていたロック止め金１０が図３に示す元の位置に戻り、ロック機構６と係合してロック機構６の動きを阻止し、ロック機構６が図示のように突出していない状態に保たれ、その結果、カギ８によってキーシリンダ３を矢印で示すように回転させようとしても回転されなくなる。
【０００８】
（ニ） 図２に示すように、カギ８によってキーシリンダ３が閉位置に回転操作されている状態では、ロック機構６が突出されている。ロック機構６には図３に示すようにコインストッパ止め７が設けられている。コインストッパ止め７は、図１に示すように、カギ８によってキーシリンダ３が開位置に回転され、ロック機構６が突出していない状態にあるときには、図３に示すようにストッパ板１１から離れた位置にあるが、図２に示すようにカギ８が閉位置に回転操作されてキーシリンダ３が矢印で示すように回転され、ロック機構６が図２に示すような突出した状態に動かされると、ストッパ板１１に当り、ストッパ板１１を押さえつけて動かない状態にする。ストッパ板１１を押さえている間にリセットボタン２を押したとしても、弾力のある伝達棒１３がしなり動きを吸収してしまうので、リセットボタン２が押されてもコイン１４が落下されることなくコインストッパー止め７により保持され続ける。
【０００９】
なお、この発明ではコイン検知機・ロック機構の構造などは特に限定されず、その他の材質・形なども任意である。
【００１０】
【発明の効果】
本発明は以上のような構造で、これを使用するときはコインを一定の枚数挿入口へ挿入することにより、カギの開閉が自由になり何回でも使用可能になり、これの使用をやめるときには、カギを開く状態にしてリセットボタンを押すことにより挿入したコインの一部が返却される。
【図面の簡単な説明】
【図１】  本発明のキーシステムを正面から見た（開の状態）図である。
【図２】  本発明のキーシステムを正面から見た（閉の状態）図である。
【図３】  本発明のキーシステムを後ろから見た図である。
【図４】  本発明のキーシステムを横から見た図である。
【図５】  本発明のキーシステムを上から見た図である。
【図６】  本発明のキーシステムのコイン挿入図である。
【図７】  本発明のキーシステムのコイン返却・集金図である。
【図８】  本発明のキーシステムの立体概略図である。
【図９】  本発明のキーシステムのコイン検知機図である。
【符号の説明】
１   コイン挿入口
２   リセットボタン
３   キーシリンダ
４   コイン返却口
５   スプリング
６   ロック機構
７   コインストッパー止め
８   カギ
９   コインガイド
１０ ロック止め金
１１ ストップ板
１２ コインストッパー
１３ 伝動棒
１４ コイン
１５ 第１パーツ
１６ 第２パーツ
１７ 第３パーツ
１８ 支点
【図１】
0003782603.tif 000002
【図２】
0003782603.tif 000003
【図３】
0003782603.tif 000004
【図４】
0003782603.tif 000005
【図５】
0003782603.tif 000006
【図６】
0003782603.tif 000007
【図７】
0003782603.tif 000008
【図８】
0003782603.tif 000009
【図９】
0003782603.tif 000010